(57)【要約】【課題】スロッタナイフの構造に関し、溝の角部に破れを発生させることなく溝加工を行なうことができるようにする。【解決手段】段ボールシートに溝を加工するスロッタナイフであって、スロッタナイフの回転方向の先端部に、溝の奥端に当接する端面１２２ｂと、端面１２２ｂから径方向外方に突出した突起部１２２ａとをそなえ、端面１２２ｂは、突起部１２２ａ側である径方向外方側に対して軸心側が次第に回転方向前方に位置するように、軸心に向かう直径方向面に対して傾斜した傾斜面に形成される。【選択図】図１
2010131870.tif 000002
【特許請求の範囲】
【請求項１】
段ボールシートに溝を加工するスロッタナイフであって、
前記スロッタナイフの回転方向の先端部に、前記溝の奥端に当接する端面と、前記端面から径方向外方に突出した突起部とをそなえ、
前記端面は、前記突起部側である径方向外方側に対して軸心側が次第に回転方向前方に位置するように、前記軸心に向かう直径方向面に対して傾斜した傾斜面に形成されている
ことを特徴とする、スロッタナイフ。
【請求項２】
前記端面の前記直径面に対する傾斜角度は、１〜２０度に設定されている
ことを特徴とする、請求項１記載のスロッタナイフ。
【請求項３】
前記端面の前記突起部側の左右角部は、面取り加工されている
ことを特徴とする、請求項１又は２記載のスロッタナイフ。
【請求項４】
段ボールシートに溝を加工するスロッタナイフであって、
前記スロッタナイフの回転方向の先端部に、前記溝の奥端に当接する端面と、前記端面から外方に突出した突起部とをそなえ、
前記端面の前記突起部側の左右角部は、面取り加工されている
ことを特徴とする、スロッタナイフ。
【請求項５】
前記端面の前記左右角部の面取り加工箇所は、滑らかな曲面で形成されている
ことを特徴とする、請求項１〜４の何れか１項に記載のスロッタナイフ。
【請求項６】
前記スロッタナイフが、スロッタナイフ本体と、該スロッタナイフ本体に対して着脱可能な前記先端部とから構成されている
ことを特徴とする、請求項１〜５の何れか１項に記載のスロッタナイフ。
【発明の詳細な説明】
【技術分野】
【０００１】
本発明は、段ボールシートを箱に加工する製函機に装備され、切り溝を加工するために装備されるスロッタナイフに関するものである。
【背景技術】
【０００２】
段ボールシートを箱に加工する製函機においては、給紙部から１枚ずつ送られる段ボールシートに、印刷部で所定の印刷を施し、その後、クリーザスロッタ部で罫入れや溝切りを行なって、図９に示すような、製函前の罫入れ，溝切り段ボールシート１に加工する。その後、この段ボールシート１を折り曲げて両端接合部を糊付けすることで、折り畳んだ状態の段ボールシート箱が完成する。
【０００３】
クリーザスロッタ部には、図８に示すように、上下クリーザ軸１０Ｕ，１０Ｌ及び上下スロッタ軸２０Ｕ，２０Ｌと、段ボールシート１を搬送する上下駆動ローラ３１Ｕ，３１Ｌ、３２Ｕ，３２Ｌがそなえられている。
上クリーザ軸１０Ｕにはリング状の上クリーザヘッド１１Ｕが、下クリーザ軸１０Ｌにはリング状の下クリーザヘッド１１Ｌがそなえられている。また、上スロッタ軸２０Ｕには上スロッタヘッド２１がそなえられ、この上スロッタヘッド２１には２枚のスロッタナイフ２２，２３が取り付けられている。また、下スロッタ軸２０Ｌには下スロッタヘッド２４がそなえられている。そして、２枚のスロッタナイフ２２，２３によって、図９に示すように、段ボールシート１の前後の溝Ｓが加工される。
【０００４】
なお、スロッタナイフ２２，２３は、上スロッタヘッド２１に対して円周方向の位置が調整可能に取り付けられており、溝切りの深さ（進行方向長さ）が異なる（逆に言えば、両溝間の距離ｄが異なる）段ボール箱を製造することができる。また、下スロッタヘッド２４には詳細は図示しないが２枚の下スロッタナイフが間隔をあけて取り付けられており、上スロッタナイフ２２，２３はこの２枚の下スロッタナイフの相互間に嵌入して段ボールシート１の溝加工を行なう。
【０００５】
そして、スロッタナイフ２３により、図１０（ａ）に示すように、段ボールシート１の進行方向（図９中の矢印参照）における前側の溝ＳFを加工し、その後、スロッタナイフ２２により、段ボールシート１の進行方向後ろ側の溝ＳRを加工する。
このようなスロッタナイフ２２，２３には、その先端又は後端に突起部をそなえたものが使われる。例えば、図１０（ａ）に示すように、段ボールシート１の進行方向後ろ側の溝を加工するスロッタナイフ２２には、その先端に突起部２２ａがそなえられ、段ボールシート１の進行方向前側の溝を加工するスロッタナイフ２３には、その先端に突起部２３ａがそなえられている。
【０００６】
このような突起部２２ａ，２３ａを装備する理由は、溝Ｓの側面Ｓ1を切る時には、上スロッタナイフ２２，２３及び下スロッタナイフの剪断により切ることができるが、溝Ｓの端部Ｓ2を切るときは、上スロッタナイフ２２，２３の刃を受ける下側の受部材が無いため、剪断とか押し切りでは切れないためである。そこで、スロッタナイフ２２，２３の先端又は後端に突起部２２ａ，２３ａを付けて、この突起部２２ａ，２３ａにより段ボールシート１を突き刺して溝Ｓの端部Ｓ2を切断するようにしている。
【０００７】
また、上スロッタナイフ２２，２３の各端面２２ｂ，２３ｂは、通常半径方向（即ち、上スロッタナイフ２２，２３の回転円の中心）に向かう面として形成されている。このように端面２２ｂ，２３ｂを形成するのは、端面２２ｂ，２３ｂを強いて斜めにする理由は無く、加工上最も一般的であり、加工性もよいからである。
しかしながら、特に、段ボールシート１の進行方向後ろ側の溝ＳRを加工する上スロッタナイフ２２の端面２２ｂが半径方向に向いている一般的な構造の場合、図１０（ｂ）に示すように、溝ＳRの端部Ｓ2の角部ＳCに破れ２５が発生する。
【０００８】
特許文献１，２では、この破れ２５の発生原因を、突起部２２ａが段ボールシート１に進入した後に端面２２ｂが段ボールシート１に食い込んでいく過程で、端面２２ｂが溝Ｓの端部Ｓ2をその進行方向に押し潰していくためと考え、図１０（ａ）に二点鎖線で示すように、端面２２ｂの突起部２２ａの近傍を除く部分、つまり、突起部２２ａよりも上スロッタ軸２０Ｕの軸心側の部分を後退させて、端面２２ｂが段ボールシート１に食い込んでいっても端面２２ｂが溝Ｓの端部Ｓ2を押し潰さないようにする技術が提案されている。
【特許文献１】特開２００１−２８７２８５号公報
【特許文献２】特開２００５−１８６２６１号公報
【発明の開示】
【発明が解決しようとする課題】
【０００９】
しかしながら、突起部（つまり、刃先）２２ａの形状や、段ボールシート１と上スロッタナイフ２２との相対速度や、段ボールシート１の材料特性（紙の物性や厚み）等にもよるが、本願発明者らは、溝ＳRの角部に発生する破れ２５の原因は、図１１に示すように、上スロッタナイフ２２が段ボールシート１に食い込んだ後、段ボールシート１から離れる際に、突起部（刃先）２２ａが段ボールシート１を掬い上げること、特に、突起部２２ａの左右端が段ボールシート１を掬い上げること、にあるものと究明した。
【００１０】
つまり、段ボールシート１の上面に沿って走行する上スロッタナイフ２２の基部２２Ｂの周速が段ボールシート１の走行速度と等速であるものとすると、図１１（ａ）に示すように、上スロッタナイフ２２が段ボールシート１に食い込んだ後、図１１（ｂ）に示すように、上スロッタナイフ２２が段ボールシート１と共に移動しながら、図１１（ｃ）に示すように、上スロッタナイフ２２が段ボールシート１から離れる際に、突起部（刃先）２２ａが段ボールシート１を掬い上げる。
【００１１】
これにより、図１１（ｃ）の１点鎖線枠部の拡大図である図１１（ｄ）に示すように、溝Ｓの端部Ｓ2は二点鎖線で示す状態から、突起部（刃先）２２ａで掬い上げられた分だけ切り取られて、実線で示す状態になる。この突起部（刃先）２２ａの掬い上げによる切削時に、突起部２２ａの左右端による段ボールシート１の掬い上げによって、溝ＳRの角部に破れ２５が発生するのである。このような破れ２５は、段ボール箱の形状を変形させたり、強度不足を招いたりするため、破れの発生は回避したい。
【００１２】
本発明はこのような課題に鑑み案出されたもので、溝の角部に破れを発生させることなく溝加工を行なうことができるようにした、スロッタナイフを提供することを目的とする。
【課題を解決するための手段】
【００１３】
上記目的を達成するために、本発明のスロッタナイフ（請求項１）は、段ボールシートに溝を加工するスロッタナイフであって、前記スロッタナイフの回転方向の先端部に、前記溝の奥端に当接する端面と、前記端面から径方向外方に突出した突起部とをそなえ、前記端面は、前記突起部側である径方向外方側に対して軸心側が次第に回転方向前方に位置するように、前記軸心に向かう直径方向面に対して傾斜した傾斜面に形成されていることを特徴としている。
【００１４】
前記端面の前記直径面に対する傾斜角度は、１〜２０度に設定されていることが好ましい（請求項２）。
前記端面の前記突起部側の左右角部は、面取り加工されていることが好ましい（請求項３）。
本発明のもう一つのスロッタナイフ（請求項４）は、段ボールシートに溝を加工するスロッタナイフであって、前記スロッタナイフの回転方向の先端部に、前記溝の奥端に当接する端面と、前記端面から外方に突出した突起部とをそなえ、前記端面の前記突起部側の左右角部は、面取り加工されていることを特徴としている。
【００１５】
前記端面の前記左右角部の面取り加工箇所は、滑らかな曲面で形成されていることが好ましい（請求項５）。
さらに、前記スロッタナイフが、スロッタナイフ本体と、該スロッタナイフ本体に対して着脱可能な前記先端部とから構成されていることが好ましい（請求項６）。
【発明の効果】
【００１６】
本発明のスロッタナイフ（請求項１）によれば、スロッタナイフが回転しながら段ボールシートに溝を加工する際、回転方向の先端部では、端面が、その突起部から段ボールシートに食い込み、その後、端面は、突起部側である径方向外方側から軸心側への段ボールシートに食い込んでいくが、この端面が、軸心側が次第に回転方向前方に位置するように直径方向面に対して傾斜した傾斜面に形成されるので、端面が段ボールシートに食い込んでいく際に、溝の端部はその表面側ほど突起部で穿設された位置よりも次第に深く、つまり、進行方向側に大きく穿設される。
【００１７】
したがって、その後、スロッタナイフが段ボールシートから抜けていく際に、突起部がスロッタナイフの軸心から最も離隔していることから、突起部が溝の端部に相対的に接近しても、溝の周囲の段ボールシート表面側は既に進行方向側に大きく穿設されているので、突起部が溝の周囲の段ボールシート表面側を掬い上げるよう作用することはなく、突起部が段ボールシートの表面側を掬い上げることによって溝の端部の角部に破れが発生することを未然に防ぐことができ、段ボール箱の良好な品質を確保することができる。
【００１８】
なお、端面の直径面に対する傾斜角度を１〜２０度に設定すると、溝の端部形状を良好に保ちながら突起部が溝の周囲の段ボールシート表面側を掬い上げることを軽減又は防止することができる（請求項２）。
本発明のスロッタナイフ（請求項３，４）によれば、スロッタナイフが回転しながら段ボールシートに溝を加工する際、回転方向の先端部では、端面が、その突起部から段ボールシートに食い込み、その後、スロッタナイフが段ボールシートから抜けていく際に、突起部がスロッタナイフの軸心から最も離隔していることから、突起部が溝の端部に相対的に接近して溝の周囲の段ボールシート表面側を掬い上げるよう作用しても、突起部側の左右角部は面取り加工されているので、突起部側の左右角部による溝端部の角部の破れが発生し難くなり、溝の端部の角部に破れが発生することを抑制することができ、段ボール箱の良好な品質を確保することができる。
【００１９】
この場合、面取り加工箇所が滑らかな曲面で形成されていると、溝端部の角部の破れが一層発生し難くなる（請求項５）。
さらに、スロッタナイフを、スロッタナイフ本体と、該スロッタナイフ本体に対して着脱可能な先端部とから構成すれば、先端部の磨耗に対して先端部のみを交換すればよいので、スロッタナイフ全体を交換する場合に比べて交換作業が容易になり、交換部品コストも低減される（請求項６）。
【発明を実施するための最良の形態】
【００２０】
以下、図面により、本発明の実施の形態について説明する。
［第１実施形態］
図１〜図４は本発明の第１実施形態にかかるスロッタナイフを示すもので、図１はその要部構成図、図２はその要部変形例を示す図、図３はその作用を示す側面図、図４はその効果を従来技術と対比して示す溝端部の斜視図である。なお、本スロッタナイフは、製函機のクリーザスロッタ部に備えられるが、クリーザスロッタ部の構成については図８を流用し、一部符号を差し替えて説明する。また、段ボールシート１の形状も図９を流用する。
【００２１】
（クリーザスロッタ部）
まず、本スロッタナイフを装備した製函機のクリーザスロッタ部を説明すると、図８に示すように、クリーザスロッタ部は、上下クリーザ軸１０Ｕ，１０Ｌ及び上下スロッタ軸２０Ｕ，２０Ｌと、段ボールシート１を搬送する上下駆動ローラ３１Ｕ，３１Ｌ、３２Ｕ，３２Ｌがそなえられている。
【００２２】
上クリーザ軸１０Ｕにはリング状の上クリーザヘッド１１Ｕが、下クリーザ軸１０Ｌにはリング状の下クリーザヘッド１１Ｌがそなえられている。また、上スロッタ軸２０Ｕには上スロッタヘッド２１がそなえられ、この上スロッタヘッド２１には２枚のスロッタナイフ１２２，２３が取り付けられている。また、下スロッタ軸２０Ｌには下スロッタヘッド２４がそなえられている。そして、２枚のスロッタナイフ１２２，２３によって、図９に示すように、段ボールシート１の前後の溝Ｓが加工される。
【００２３】
なお、スロッタナイフ１２２，２３は、上スロッタヘッド２１に対して円周方向の位置が調整可能に取り付けられており、溝切りの深さ（進行方向長さ）が異なる（逆に言えば、両溝間の距離ｄが異なる）段ボール箱を製造することができる。また、下スロッタヘッド２４には詳細は図示しないが２枚の下スロッタナイフが間隔をあけて取り付けられており、上スロッタナイフ１２２，２３はこの２枚の下スロッタナイフの相互間に嵌入して段ボールシート１の溝加工を行なう。
【００２４】
（スロッタナイフ）
本実施形態の特徴的なスロッタナイフは、段ボールシート１の進行方向後ろ側の溝ＳRを加工する（図９参照）上スロッタナイフ１２２であって、特に、その回転方向の先端部の形状に特徴がある。
【００２５】
つまり、図１（ａ）〜（ｃ），（ｅ）に示すように、スロッタナイフ１２２の回転方向の先端部には、溝Ｓの穿設開始時に、段ボールシート１に突き刺さって溝Ｓの奥端（端部）Ｓ2を切断する突起部１２２ａが下方の段ボールシート１に向かう側に突出して形成されている。この突起部１２２ａは、先端がピン先のように角錐状又は円錐状に尖った複数（ここでは５つ）のピン状突起１２６がナイフ幅方向に並んで構成されている。
【００２６】
また、突起部１２２ａは、突起部１２２ａよりも回転方向後側に形成されるスロッタナイフ１２２の刃先面１２２ｃよりも突出しており、刃先面１２２ｃに対しては滑らかな曲面状に連接されている。
段ボールシート１の上面に沿って走行するスロッタナイフ１２２の基部１２２Ｂから、このような突起部１２２ａが突出形成される先端部の端面１２２ｂは、先端の突起部１２２ａを除いて平面状或いは微少に湾曲した略平面状に形成される。スロッタナイフ１２２による段ボールシート１の切断時には、まず、突起部１２２ａの複数のピン状突起１２６がそれぞれ段ボールシート１に突き刺さって食い込んでいきって、溝Ｓの奥端Ｓ2についてはその後、端面１２２ｂの平面状（略平面状を含む）の部分が段ボールシート１内に食い込んでいって切断が行われるようになっている。
【００２７】
ところで、本実施形態のスロッタナイフ１２２は、その端面１２２ｂが、径方向外方側（突起部１２２ａの側）に対して軸心側（基部１２２Ｂの側）が次第に回転方向前方に位置するように、軸心に向かう直径方向面１２７に対して傾斜した傾斜面に形成されている。この傾斜角度αは、段ボールシート１の溝Ｓの奥端Ｓ2での突起部１２２ａ先端の軌跡に略対応するように、或いは、この突起部１２２ａ先端の軌跡を包含するように設定されている。また、傾斜角度αは、突起部１２２ａ先端が溝Ｓから抜ける際に、溝Ｓの奥端Ｓ2に対して段ボールシート１の上部を掬い上げるように動作する角度に対応するので、掬い角ともいう。
【００２８】
スロッタナイフ１２２の基部１２２Ｂの段ボールシート１の上面に沿って走行する外周部が段ボールシート１と等速の周速で移動すると、スロッタナイフ１２２が段ボールシート１から抜ける際には、基部１２２Ｂの外周部よりも外方に位置する突起部１２２ａは回転半径の大きい分だけ溝Ｓの奥端Ｓ2に対して回転方向前方移動しながら段ボールシート１の溝Ｓから抜けていく。したがって、突起部１２２ａ先端の段ボールシート１の溝Ｓの奥端Ｓ2に対する軌跡は、段ボールシート１の下面側よりも上面側の方が次第に回転方向前方に位置するように、段ボールシート１の厚み方向に対して傾斜したものとなる。
【００２９】
端面１２２ｂはこのような突起部１２２ａ先端の軌跡に対応した傾斜角に傾斜しているのである。一般的な段ボールシート１の厚みと、突起部１２２ａ先端の半径（スロッタナイフ１２２の軸心からの距離）とを一般的な大きさに設定すると、傾斜角度αは１８度程度となり、段ボールシート１の厚みや突起部１２２ａ先端の半径が標準よりも異なるものも考慮すると、傾斜角度αは１６〜２０度程度が好適であるが、僅かでも傾斜角度αが設けてあれば程度の差はあるが有効であり、このような観点からは、傾斜角度αは１〜２０度程度であればよいことになる。
【００３０】
さらに、本実施形態のスロッタナイフ１２２は、その端面１２２ｂの突起部１２２ａ側の左右角部１２３が面取り加工されている。また、この面取り加工箇所１２３は、図１（ｄ）に示すように、滑らかな曲面１２４により形成されている。
【００３１】
（作用、効果）
本発明の第１実施形態にかかるスロッタナイフは上述のように構成されているので、スロッタナイフ１２２による段ボールシート１への溝加工は、図３に示すように行われる。
つまり、スロッタナイフ１２２は、その基部２２Ｂ外周の周速が段ボールシート１の走行速度と等速で回転しながら、図３（ａ）に示すように、スロッタナイフ１２２は段ボールシート１に食い込む。この際、突起部１２２ａ先端が段ボールシート１に食い込んだ後、傾斜した端面１２２ｂが、溝Ｓの奥端Ｓ2の面を、段ボールシート１の下面側よりも上面側の方が次第に回転方向前方に位置するように、段ボールシート１の厚み方向に対して傾斜した状態に加工する［図３（ｂ）参照］。
【００３２】
したがって、図３（ｃ）に示すように、スロッタナイフ１２２が段ボールシート１から離れる直前に、突起部（刃先）１２２ａが溝Ｓの奥端Ｓ2に対して段ボールシート１の下面側よりも上面側の方が次第に回転方向前方に食い込んで段ボールシート１の上部を掬い上げるような動きをしても、既に、傾斜した端面１２２ｂによって、溝Ｓの奥端Ｓ2の面はその上面側を、突起部１２２ａと干渉しないように切削されているので、段ボールシート１の上部は突起部１２２ａに影響されることはない。
【００３３】
したがって、この突起部１２２ａが段ボールシート１の上部を掬い上げることによって、生じる溝ＳRの角部の破れの発生は確実に回避される。
図４はスロッタナイフにより加工された溝Ｓの端部Ｓ2を示す斜視図であり、（ａ）は従来技術のスロッタナイフによる加工結果を示し、（ｂ）は本実施形態のスロッタナイフによる加工結果を示す。図示するように、本実施形態のスロッタナイフによると、従来技術のスロッタナイフの場合に発生していた破れ２５の発生が防止されることがわかる。
【００３４】
このように、溝ＳRの角部に破れが発生しなければ、段ボール箱の形状を変形させたり、強度不足を招いたりするおそれもない。
なお、溝Ｓの奥端Ｓ2が傾斜することになるが、これによる段ボール箱の形状への影響や強度不足のおそれはない。
また、本実施形態の場合、端面１２２ｂの傾斜に加えて、突起部１２２ａ側の左右角部１２３が面取り加工されておりエッジが立っていないので、突起部１２２ａ側の左右角部１２３による溝端部Ｓ2の角部の破れが発生し難くなり、溝の端部Ｓ2の角部における破れの発生を抑制することができ、この点からも、段ボール箱の良好な品質を確保することができる。また、面取り加工箇所１２３が滑らかな曲面１２４で形成されているため、溝端部Ｓ2の破れの発生をより一層抑制することができる。
【００３５】
なお、スロッタナイフ１２２の端面１２２ｂ近傍の形状は、図１に示すものに限らず、図２（ａ）〜（ｄ）にそれぞれ示すようなものでも良い。
例えば、上記の第1実施形態では、図１（ｅ）に示すように、スロッタナイフ１２２の端面１２２ｂの突起部１２２ａ側の左右角部１２３を部分的に面取り加工しているが、図２（ａ）に示すように、スロッタナイフ１２２の端面１２２ｂの基部１２２Ｂ側から突起部１２２ａ側にわたる左右角部１２３ｂを略全体にわたって面取り加工してもよい。また、この面取り加工箇所１２３ｂも、滑らかな曲面により形成されることがより好ましい。
【００３６】
また、上記の第１実施形態では、図１（ｂ）に示すように、スロッタナイフ１２２の端面１２２ｂは、基部１２２Ｂ側から突起部１２２ａ側にわたって１つの平面として構成しているが、図２（ｂ）に示すように、端面１２２ｂの突起部１２２ａ側は傾斜角度αのない（つまり、α＝０）平面とし、端面１２２ｂの径方向中間部から基部１２２Ｂにわたって傾斜角度αを設けるようにしても、上記と同様の効果を得ることができる。
【００３７】
また、図２（ｃ）に示すように、端面１２２ｂの基部１２２Ｂ側を凹ませた凹部１２２ｄを設けると、スロッタナイフ１２２が段ボールシート１へ切り込む際に、端面１２２ｂによる溝Ｓの奥端Ｓ2の押し付け量が減り、溝Ｓの奥端Ｓ2を良好に保ち易くなる。また、図２（ｄ）に示すように、図２（ｂ）に示すような端面１２２ｂの径方向中間部から基部１２２Ｂにわたって傾斜角度αを設けるものに対しても、端面１２２ｂの基部１２２Ｂ側を凹ませた凹部１２２ｄを設けると、同様の効果が得られる。
【００３８】
［第２実施形態］
図５（ａ）は本発明の第２実施形態にかかるスロッタナイフを示す側面図であり、図５（ｂ）はその変形例にかかるスロッタナイフを示す側面図である。
図５（ａ）に示すように、本実施形態にかかるスロッタナイフ１２２Ａは、スロッタナイフ１２２Ａの回転方向の先端部の主要部分（特に、切断に寄与する部分）である突起部１２２ａと端面１２２ｂの突起部１２２ａ側の部分１２２Ａ２とが、スロッタナイフ１２２Ａの他の部分（スロッタナイフ本体）１２２Ａ１に対して着脱可能になっている。つまり、スロッタナイフ１２２Ａは、この着脱可能な先端部１２２Ａ２と、スロッタナイフ本体１２２Ａ１とからなり、先端部（着脱可能部）１２Ａ２は図示しないボルトの締結によってスロッタナイフ本体１２２Ａ１に固定される。
【００３９】
このような構成によって、最も磨耗しやすい先端部１２２Ａ２の磨耗に対して、先端部１２５のみを交換すればよいので、スロッタナイフ全体を交換する場合に比べて交換作業が容易になり、交換部品コストも低減される効果がある。
【００４０】
なお、図５（ｂ）に示すスロッタナイフ１２２Ｂのように、端面１２２ｂの近傍だけでなく、突起部１２２ａと端面１２２ｂの突起部１２２ａ側の部分とを含んだ刃先面１２２ｃの中間部までを着脱可能部１２２Ｂ２として、スロッタナイフ１２２Ｂを、この着脱可能部１２２Ｂ２と、スロッタナイフ本体１２２Ｂ１とから構成し、着脱可能部１２２Ｂ２は図示しないボルトの締結によってスロッタナイフ本体１２２Ｂ１に固定される構成としても良い。この方が、着脱可能部１２２Ｂ２は大きくなるが、スロッタナイフ本体１２２Ｂ１への着脱構造を容易に構成することができる。
また、先端部１２２Ａ２や着脱可能部１２２Ｂ２の形状は、ここでは、第１実施形態と同様なものとするが、後述の第３実施形態と同様なものとしてもよい。
【００４１】
［第３実施形態］
図６，図７は本発明の第３実施形態にかかるスロッタナイフを示すもので、図６はその要部構成図、図７はその要部斜視図である。なお、本実施形態にかかるスロッタナイフ２２２は、第１実施形態に対して、その端面２２２ｂが傾斜しておらず、つまり、傾斜角度（掬い角）αは設けられておらず、軸心に向かう直径方向面１２７［図１（ｂ）参照］と略同方向に向くように設定されている。
【００４２】
ただし、突起部２２２ａが端面２２２ｂから連続すると共に刃先面２２２ｃに対しても滑らかな曲面状に連接するようにして下方の段ボールシート１に向かう側に突出して形成され、この突起部１２２ａは、先端がピン先のように角錐状又は円錐状に尖った複数（ここでは５つ）のピン状突起１２６がナイフ幅方向に並んで構成されている点は第１実施形態と同様である。
【００４３】
また、スロッタナイフ２２２の端面２２２ｂの突起部２２２ａ側の左右角部２２３が面取り加工されている点、及び、この面取り加工箇所２２３は、図６（ｄ）に示すように、滑らかな曲面２２４により形成されている点も第１実施形態と同様である。
【００４４】
（作用、効果）
本発明の第３実施形態にかかるスロッタナイフは上述のように構成されているので、スロッタナイフ２２２による段ボールシート１への溝加工をする際には、スロッタナイフ２２２が段ボールシート１から離れる直前に、突起部（刃先）２２２ａが溝Ｓの奥端Ｓ2に対して段ボールシート１の下面側よりも上面側の方が次第に回転方向前方に食い込んで段ボールシート１の上部を掬い上げるような動きをしても、端面２２２ｂの突起部２２２ａ側の左右角部２２３エッジが立っていないので、突起部２２２ａ側の左右角部２２３による溝端部Ｓ2の角部の破れが発生し難くなり、溝の端部Ｓ2の角部における破れの発生を抑制することができ、段ボール箱の良好な品質を確保することができる。また、面取り加工箇所２２３が滑らかな曲面２２４で形成されているため、この点からも、溝端部Ｓ2の破れの発生をより一層抑制することができる。
【００４５】
［その他］
なお、本発明は、上述の各実施形態に限定されるものではなく、本発明の趣旨を逸脱しない範囲でかかる実施形態を種々変形したり適宜組み合わせたりして実施しうるものである。
例えば、第１実施形態では、端面１２２ｂの傾斜に加えて、突起部１２２ａ側の左右角部１２３が面取り加工され、さらに、面取り加工箇所１２３が滑らかな曲面１２４で形成されているが、左右角部１２３を面取り加工のみして曲面１２４で形成しなくても、また、面取り加工自体を行なわなくても、端面１２２ｂの傾斜により、溝端部Ｓ2の破れの発生を抑制することができる。
【００４６】
また、第３実施形態において、端面２２２ｂの左右角部２２３については、突起部２２２ａ側のみが面取り加工され、端面２２２ｂのスロッタナイフ基部２２２Ｂ側は面取り加工されないようにすれば、突起部２２２ａ側に比べて回転方向前方に突出していることになるので、左右角部２２３においては、端面２２２ｂによって溝Ｓの奥端Ｓ2の面が突起部２２２ａ先端と干渉しない程度に切削されることになる。つまり、左右角部２２３においてのみ、実質的に傾斜角（掬い角）が形成され手いることになる。これにより、左右角部２２３において、突起部２２２ａ先端が段ボールシート１の上部を掬い上げるようなこともなく、この点からも、溝端部Ｓ2の破れの発生をより一層抑制することができる。
【図面の簡単な説明】
【００４７】
【図１】本発明の第１実施形態にかかるスロッタナイフの要部構成図であって、（ａ）はその先端部端面の正面図［（ｂ）のＡ１方向矢視図］、（ｂ）はその先端部の側面図、（ｃ）はその先端部の下面図［（ｂ）のＣ１方向矢視図］、（ｄ）はその先端部の要部断面図［（ａ）のＤ１−Ｄ１矢視断面図］、（ｅ）はその先端部の要部斜視図である。
【図２】本発明の第１実施形態にかかるスロッタナイフの先端部分の変形例を示す図であり、（ａ）はその第１変形例を示す要部斜視図、（ｂ）はその第２変形例を示す先端部の側面図、（ｃ）はその第３変形例を示す先端部の側面図、（ｄ）はその第４変形例を示す先端部の側面図である。
【図３】本発明の第１実施形態にかかるスロッタナイフの作用を示す側面図であって、（ａ）〜（ｃ）の順に溝切りの過程を示す。
【図４】本発明の第１実施形態にかかるスロッタナイフの構造の効果を従来技術と対比して示す溝端部の斜視図であって、（ａ）は従来技術を示し、（ｂ）は本実施形態を示す。
【図５】本発明の第２実施形態にかかるスロッタナイフの構造を示す図であって、（ａ）はその側面図、（ａ）はその変形例の側面図である。
【図６】本発明の第３実施形態にかかるスロッタナイフを示す図であって、（ａ）はその先端部端面の正面図［（ｂ）のＡ２方向矢視図］、（ｂ）はその先端部の側面図、（ｃ）はその先端部の下面図［（ｂ）のＣ２方向矢視図］、（ｄ）はその先端部の要部断面図［（ａ）のＤ２−Ｄ２矢視断面図］である。
【図７】本発明の第３実施形態にかかるスロッタナイフを示す斜視図である。
【図８】一般的なクリーザスロッタ部を示す側面図である。
【図９】クリーザスロッタ部により加工された段ボールシート示す正面図である。
【図１０】一般的なスロッタナイフを説明する図であって、（ａ）はその構造を示す側面図、（ｂ）はそのスロッタナイフにより段ボールシートに加工された溝をスロッタナイフと並べて示す正面図である。
【図１１】従来技術の課題を説明するスロッタナイフの側面図であって、（ａ）〜（ｃ）の順に溝切りの過程を示し、（ｄ）は（ｃ）の部分拡大図である。
【符号の説明】
【００４８】
１  段ボールシート
１０Ｕ  上クリーザ軸
１０Ｌ  下クリーザ軸
２０Ｕ  上スロッタ軸
２０Ｌ  下スロッタ軸
３１Ｕ，３２Ｕ  上駆動ローラ
３１Ｌ，３２Ｌ  下駆動ローラ
１１Ｕ  上クリーザヘッド
１１Ｌ  下クリーザヘッド
２１  上スロッタヘッド
２２，２３，１２２，２２２  スロッタナイフ
２４  下スロッタヘッド
２５  破れ
１２２Ａ１，１２２Ｂ１  スロッタナイフ本体
１２２Ａ２，１２２Ｂ１  スロッタナイフの着脱可能部
１２２Ｂ，２２２Ｂ  スロッタナイフの基部
１２２ａ，２２２ａ  突起部
１２２ｂ，２２２ｂ  端面
１２２ｃ，２２２ｃ  刃先面
１２２ｄ  凹部
１２３，１２３ｂ，２２３  左右角部（面取り加工箇所）
１２４，２２４  曲面
１２６，２２６  ピン状突起
１２７  直径方向面
ＳF  段ボールシート１の進行方向前側の溝
ＳR  段ボールシート１の進行方向後ろ側の溝
Ｓ2  溝Ｓの奥端（端部）
α  傾斜角度（掬い角）
【図１】
2010131870.tif 000003
【図２】
2010131870.tif 000004
【図３】
2010131870.tif 000005
【図４】
2010131870.tif 000006
【図５】
2010131870.tif 000007
【図６】
2010131870.tif 000008
【図７】
2010131870.tif 000009
【図８】
2010131870.tif 000010
【図９】
2010131870.tif 000011
【図１０】
2010131870.tif 000012
【図１１】
2010131870.tif 000013